(57)【要約】【課題】車両や船のような揺れることが人に不快感を与えるときに、人にやさしく揺れない安楽ベッドイスを提供する。【解決手段】揺れない安楽ベッドイスは、中部にベアリングを内装している蜘蛛足が渦巻ばねをつけてから十字軸にとりつけ、蜘蛛足上端の歯車を水平板の歯レールに入れ、蜘蛛足下端の自在キャスターを半球面体の凹内に置け、半球面体の揺れたり起伏したりによって、自在キャスターがいずれも最低部に転がる同時に蜘蛛足がいずれも角度を変換するという揺れない外力抵抗装置により、水平板の上に変形機能を操作する手すりと、ベッドに変形できるイスとをつけ、ベッドとイスと相互変形するときに、イスを前後に移動させ、人の座る重心と横たわる重心とも半球面体中心に合わせることによって、揺れる環境に対して揺れないため、人にやさしく、乗り物に心地がよくになる。【選択図】    図３
2006087851.tif 000002
【特許請求の範囲】
【請求項１】
中部にベアリングを内装している蜘蛛足が渦巻ばねをつけてから十字軸にとりつけ、蜘蛛足上端の歯車を水平板の歯レールに入れ、蜘蛛足下端の自在キャスターを半球面体の凹内に置け、半球面体の揺れたり起伏したりによって、自在キャスターがいずれも最低部に転がる同時に蜘蛛足がいずれも角度を変換するという揺れない外力抵抗装置により、水平板の上に変形機能を操作する手すりと、ベッドに変形できるイスとをつけ、ベッドとイスと相互変形するときに、イスを前後に移動させ、人の座る重心と横たわる重心とも半球面体中心に合わせることを特徴とする揺れない安楽ベッドイス。
【発明の詳細な説明】
【技術分野】
【０００１】  本発明は、イスに関し、よく詳細には、揺れない安楽ベッドイスに関する。
【背景技術】
【０００２】  従来の安楽イスは揺れることが特徴となる。安楽イスは人が座られると、イス下にある弧形材によって揺れさせる。安楽イスは旋転したり昇降したり必要がないので、旋転機能と昇降機能がとりつけられていない。旋転機能と昇降機能をつけたイスは多数であるが、ほとんど人の意志からコントロールされている。【０００３】  椅子は置く環境が変わると、たとえばイスを車両や船のような揺れる場所に置くと、外界の力から人に不快感を与える場合には、上述イスの特徴や機能も人にやさしい役立つが弱くなるという欠点がある。
【発明が解決しようとする課題】
【０００４】  本発明は、上記従来技術の問題点を解決して、車両や船のような揺れることが人に不快感を与えるときに、人にやさしく揺れる強さを低減できる揺れない安楽ベッドイスを提供する。
【課題を解決するための手段】
【０００５】  本発明の揺れない安楽ベッドイスは、中部にベアリングを内装している蜘蛛足が渦巻ばねをつけてから十字軸にとりつけ、蜘蛛足上端の歯車を水平板の歯レールに入れ、蜘蛛足下端の自在キャスターを半球面体の凹内に置け、半球面体の揺れたり起伏したりによって、自在キャスターがいずれも最低部に転がる同時に蜘蛛足がいずれも角度を変換するという揺れない外力抵抗装置により、水平板の上に変形機能を操作する手すりと、ベッドに変形できるイスとをつけ、ベッドとイスと相互変形するときに、イスを前後に移動させ、人の座る重心と横たわる重心とも半球面体中心に合わせることにより問題を解決する。
【実施例】
【０００６】  蜘蛛足１は、ベッドイスと人の重さを負担する同時に角度も変換されている。その中部の片側面にベアリング６が入れられ、反対側面に渦巻ばね５を入れる。その上端に歯車２を装入し、その下端に自在キャスター３をとりつける。【０００７】  十字軸４は、蜘蛛足１の角度変換の支点として外力抵抗装置の中心部にとりつけされる。十字軸４は４本の軸が設けられ、１本の軸に二枚蜘蛛足１を入れる。それぞれの軸の内側に渦巻ばね固定槽７を設け、その外端に調整ネジ８と固定ナット９に用いるねじ山を設ける。【０００８】  渦巻きばね５は、十字軸４と蜘蛛足１の間に取り付け、張伸と圧縮の双向弾力によって外力抵抗装置の昇降機能を負う。調整ネジ８は、渦巻ばね固定槽７も設けされ、渦巻ばね５の固定角度を調整する。固定ナット９は、調整ネジ８を固定し、蜘蛛足１を十字軸４に緊固する。【０００９】  中部にベアリング６を内装している蜘蛛足１が渦巻ばね５をつけてから十字軸４にとりつける。蜘蛛足１の上端に歯車２をつけ、その歯車を水平板１０の下にある歯レール１１に入れる。蜘蛛足１の下端に自在キャスター３をつけ、その自在キャスター３を半球面体１２の凹内に置ける。外力によって半球面体１２が揺れたり起伏したりときは、自在キャスター３がいずれも半球面体１２最低部に転がる。同時に半球面体１２がいずれも角度を変換する。このように外力抵抗装置として揺れない安楽ベッドイスに役立つ。【００１０】  手すり２４は、ベッドとイス変形するため操作レバーの機能を持ち、３本梃子を２点軸で接続されている。手すり後段の中部に変形軸２５の装入穴を設け、その後端が手すり軸２６によって水平板１０にとりつけされる。【００１１】  変形軸２５は、ベッドとイスとを変形する力を受けられ、イスからベッドに変形するときに、それぞれを前に移動させる。変形軸２５は、背もたれ１６に固定され、手すり２４のレバー機能によりベッドとイスとを変形することをコントロールする。【００１２】  緩和ばね２７は、ベッドからイスに返るときに出力できるし、張伸と圧縮の双向弾力によってイスの從向受力に対して緩和機能を果たす。【００１３】  前述の外力抵抗装置により、水平板１０の上に変形機能を操作する手すり２４をつけ、ベッドに変形できるイスのシート１９もつける。ベッドとイスと相互変形するときに、イスを前後に移動させ、人の座る重心と横たわる重心とも半球面体中心に合わせる。このため、シート１９の下にイス滑車２２がつけられ、背もたれ１６にもベッド滑車２３をつける。手すり２４により変形機能を操作して、変形軸２５に抑えてから押すと、シート１９を前に移動させる同時に背もたれ１６を倒れ、背もたれ１６の背後に固定されたベッド支え１７が水平板１０に固定されたベッド支え受け１８に入り込んでから変形が完成される。まくら１５が背もたれ１６の上についているが、レックレスト２０とフットレスト２１が背もたれ１６の倒れと連動する。【００１４】  半球面体１２が底座１４により固定され、半球面体１２の外縁にリンク１３をつける。
【発明の効果】
【００１５】  本発明は、外力抵抗装置によって、ベッドイスが揺れる環境に対して揺れないため、人にやさしく、乗り物に心地がよくになる。
【図面の簡単な説明】
【００１６】
【図１】    本発明に係る揺れない安楽ベッドイス外力抵抗装置の側視概観図である
【図２】    本発明に係る揺れない安楽ベッドイス外力抵抗装置の俯視概観図である
【図３】    本発明に係る揺れない安楽ベッドイスの概観図である
【符号の説明】
【００１７】  １蜘蛛足  ２歯車  ３自在キャスター  ４十字軸  ５渦巻きばね  ６ベアリング  ７渦巻きばね固定槽  ８調整ネジ  ９固定ナット  １０水平板  １１歯レール  １２半球面体  １３リンク  １４底座  １５まくら  １６背もたれ  １７ベッド支え  １８ベッド受け  １９シート  ２０レックレスト  ２１フットレスト  ２２イス滑車  ２３ベッド滑車  ２４手すり  ２５変形軸  ２６手すり軸  ２７緩和ばね
【図１】
2006087851.tif 000003
【図２】
2006087851.tif 000004
【図３】
2006087851.tif 000005